(57)【要約】【課題】内側天板を用いず、よりシンプルな構成で、紙箱の上部に保冷体収納部を設け、優れた保冷効果を有する紙箱を提供する。【解決手段】箱型の紙箱本体を形成し、後側板の上端縁に設けた天板で紙箱本体の上面開口部を塞ぐ紙箱において、天板３の両側に折り込み板１１、１４を設け、折り込み板１１、１４は天板３の内側に折り込んだ際、後側板２の内側まで延びた大きさとし、折り込み板１１、１４の自由端は相互に対向する位置にあるようにし、天板３の自由端には紙箱Ａの上面開口部を塞いだ際、紙箱本体に係止する係止片４を有し、折り込み板１１、１４を天板３の内側に折り込み、後側板２の上端縁から天板３及び折り込み板１１、１４を折り目を介して折り曲げた状態で、折り込み板１１、１４と天板３との間に保冷体収納部１７を設けた。【選択図】図１
0003142120.tif 000002
【実用新案登録請求の範囲】
【請求項１】
四角形状の底板の前後に前側板及び後側板、左右に左側板及び右側板を折り上げて箱型の紙箱本体を形成し、前記後側板の上端縁に折り目を介して設けた天板で、紙箱本体の上面開口部を塞ぐ紙箱において、
前記天板の両側に折り込み板を設け、当該各折り込み板は天板の内側に折り込んだ際、前記後側板の内側まで延びた大きさを有し、かつ各折り込み板の自由端は相互に対向する位置にあるようにし、
また、前記天板の自由端には、紙箱の上面開口部を塞いだ際、紙箱本体に係止する係止片を有し、
前記各折り込み板を天板の内側に折り込み、後側板の上端縁から天板及び各折り込み板を折り目を介して折り曲げた状態で、左右の折り込み板と天板との間に保冷体収納部を設けたことを特徴とする、保冷体収納部付折り畳み紙箱。
【請求項２】
前記各折り込み板は、前記天板の左右端縁、前記後側板の左右端縁及び四角形状の左右側板の後端縁に亘って折り目を介して、略四角形状の大片に略四角形状の小片を繋げた形状とし、前記各大片に、前記後側板と天板との間の折り目を伸ばした折り目を夫々設け、前記各小片の、前記後側板側の折り目から自由端までの長さは前記左右側板の高さと同じとし、当該各小片の、前記底板の角部から伸ばされた略対角線上に折り目を夫々設け、
前記各折り込み板を各折り目により天板、後側板の内側に折り込み、当該各折り込み板の小片を各折り目により前記後側板上で折り込んで重ね、前記後側板の上端縁から天板及び各折り込み板を折り目を介して折り曲げた状態で、左右の折り込み板と天板との間に保冷体収納部を設けたことを特徴とする、前記請求項１に記載の保冷体収納部付折り畳み紙箱。
【請求項３】
前記左右の大片の折り目に、一定長の長孔を夫々設けたことを特徴とする、前記請求項２に記載の保冷体収納部付紙箱。
【請求項４】
前記大片に透孔を設けたことを特徴とする、前記請求項２又は３に記載の保冷体収納部付紙箱。
【考案の詳細な説明】
【技術分野】
【０００１】
この考案は、洋菓子店等において、菓子やその他の食品等の持ち運びに使用される組立て自在な紙箱に関するものであって、特に、当該紙箱内部の温度の上昇を防ぐ保冷体を収納する箇所を設けた保冷体収納部付紙箱に関するものである。
【背景技術】
【０００２】
従来、洋菓子店において、ケーキなどの生菓子を販売する際、持ち運びに便利な紙製の組立て箱を使用している。この様な組立て紙箱においては、気温が上がる夏場はもちろん、昨今では、冬であっても、多くの場所で暖房が行われているため、生ものであるケーキ等の生菓子が傷まないように、当該紙箱内に保冷体を収納するスペースを設け、当該スペースに保冷体を入れて、当該紙箱内の温度が上昇するのを防ぐようにしている。
【０００３】
前記保冷体の収納部は収納物に邪魔にならず、かつ保冷体が前記スペースから脱落しないようにしなければならない。また、冷気は下方へ行くため、紙箱の上部に設けたほうが効率が良い。
【０００４】
この様な紙箱として、後側板の上端縁に折り目を介して開閉自在な天板を設け、前側板の上端縁に折り目を介して内側天板を設け、当該内側天板を紙箱の開口部方向に折り込んで左右側板の上端に設けた水平な折り込み片で支持して当該開口部を塞ぎ、当該内側天板上に保冷体を載置し、その後、前記天板を折り込んで当該紙箱を閉じるというものがある。
【特許文献１】特開２００７−１８６２１８号公報
【考案の開示】
【考案が解決しようとする課題】
【０００５】
しかしながら、前記紙箱では、前記内側天板の上に保冷体を載置するので、基本的に当該内側天板で開口部を塞ぐため、冷気の降下を遮りやすく、保冷体収納部を確保しつつも、少しでも有効な保冷効果を奏する紙箱が望まれる。
【０００６】
この考案は、この様な状況に鑑みて行われたもので、内側天板を用いず、よりシンプルな構成で、紙箱の上部に保冷体収納部を設け、優れた保冷効果を有する紙箱を提供して前記課題を解決するものである。
【課題を解決するための手段】
【０００７】
請求項１の考案は、四角形状の底板の前後に前側板及び後側板、左右に左側板及び右側板を折り上げて箱型の紙箱本体を形成し、前記後側板の上端縁に折り目を介して設けた天板で、紙箱本体の上面開口部を塞ぐ紙箱において、前記天板の両側に折り込み板を設け、当該各折り込み板は天板の内側に折り込んだ際、前記後側板の内側まで延びた大きさを有し、かつ各折り込み板の自由端は相互に対向する位置にあるようにし、また、前記天板の自由端には、紙箱の上面開口部を塞いだ際、紙箱本体に係止する係止片を有し、前記各折り込み板を天板の内側に折り込み、後側板の上端縁から天板及び各折り込み板を折り目を介して折り曲げた状態で、左右の折り込み板と天板との間に保冷体収納部を設けた保冷体収納部付折り畳み紙箱とした。
【０００８】
請求項２の考案は、前記各折り込み板は、前記天板の左右端縁、前記後側板の左右端縁及び四角形状の左右側板の後端縁に亘って折り目を介して、略四角形状の大片に略四角形状の小片を繋げた形状とし、前記各大片に、前記後側板と天板との間の折り目を伸ばした折り目を夫々設け、前記各小片の、前記後側板側の折り目から自由端までの長さは前記左右側板の高さと同じとし、当該各小片の、前記底板の角部から伸ばされた略対角線上に折り目を夫々設け、前記各折り込み板を各折り目により天板、後側板の内側に折り込み、当該各折り込み板の小片を各折り目により前記後側板上で折り込んで重ね、前記後側板の上端縁から天板及び各折り込み板を折り目を介して折り曲げた状態で、左右の折り込み板と天板との間に保冷体収納部を設けた前記請求項１に記載の保冷体収納部付折り畳み紙箱とした。
【０００９】
請求項３の考案は、前記左右の大片の折り目に、一定長の長孔を夫々設けた前記請求項２に記載の保冷体収納部付紙箱とした。また、請求項４の考案は、前記大片に透孔を設けた前記請求項２又は３に記載の保冷体収納部付紙箱とした。
【考案の効果】
【００１０】
請求項１の考案によれば、折り込み板を天板の内側に折り込んだ際、後側板の内側まで延びた大きさとしたので、当該折り込み板を折り込んで、左右の折り込み板と天板との間に保冷体収納部を設けた際、各折り込み板の折り目を介して当該折り目より下部に有る部位によって、それより上部にある折り込み板が押さえられ、当該折り込み板が無闇に開くのを防ぎ、保冷体収納部を容易に形成できる。
【００１１】
さらに、紙箱の天板の裏面に保冷体収納部を設ける構成も、従来の天板の左右の端縁に設けられた折り込み板を後側板の左右側まで延ばして設ければ出来るので、簡単である。また、保冷体収納部の上方は開放されており、保冷体を挟持するのも、手早く、簡単に出来、商品等を収納する紙箱として、使い勝手のよいものである。
【００１２】
請求項２の考案によれば、略四角形状の大片の下端縁に小片を繋げた形状とし、前記大片に、前記後側板と天板との間の折り目を伸ばした折り目を設け、前記小片に、当該小片の対角線上に折り目を設けたので、当該折り込み板を折り込んで、左右の折り込み板と天板との間に保冷体収納部を設けた際、各折り込み板の小片によって、各折り込み板の大片が押さえられ、当該折り込み板が無闇に開くのを防ぎ、保冷体収納部を容易かつ確実に形成できる。
【００１３】
よって、保冷体を大片の弾性によって確実に保持することが出来、この保冷体収納部から保冷体が脱落し難い。また、保冷体を天板の裏面に設けた収納部に保持するので、冷気が紙箱の下方へおりて紙箱内をより効果的に保冷することが出来る。
【００１４】
請求項３の考案によれば、前記効果に加え、左右の大片の折り目に細長い長孔を設けているので、各大片を折り目によって折り込んだ際、発生するしわ寄せをこの長孔によって逃がすことが出来、折り込まれた大片が歪んだり、一部が突出したりすることが無く、極めてスムーズに折り込むことが出来る。それ故、保冷体収納部を備えた紙箱として、使い勝手のよいものである。
【００１５】
請求項４の考案によれば、前記効果に加えて、前記大片に透孔を設けたので、保冷体の冷気をより多く降下させることが出来、保冷体収納部を備えた紙箱として、信頼性が高いものである。
【考案を実施するための最良の形態】
【００１６】
四角形状の底板の前後に前側板及び後側板、左右に左側板及び右側板を折り上げて箱型の紙箱本体を形成し、前記後側板の上端縁に折り目を介して設けた天板で、紙箱本体の上面開口部を塞ぐ紙箱において、前記天板の両側に折り込み板を設け、当該各折り込み板は天板の内側に折り込んだ際、前記後側板の内側まで延びた大きさを有し、かつ各折り込み板の自由端は相互に対向する位置にあるようにし、また、前記天板の自由端には、紙箱の上面開口部を塞いだ際、紙箱本体に係止する係止片を有し、前記各折り込み板を天板の内側に折り込み、後側板の上端縁から天板及び各折り込み板を折り目を介して折り曲げた状態で、左右の折り込み板と天板との間に保冷体収納部を設けた。
【００１７】
これにより、シンプルな構成で、紙箱の上部に、容易に保冷体収納部を設けることが出来る。
【実施例１】
【００１８】
以下、この考案の実施例を図に基づいて説明する。
図１は、この考案の実施例の保冷体収納部付紙箱の天板を開け、保冷体収納部に保冷体を保持した状態の斜視図である。図２は、同保冷体収納部付紙箱の展開図である。図３は、同保冷体収納部付紙箱の天板を開けた状態の斜視図である。
【００１９】
この実施例の紙箱Ａを説明する。
図２に示すように、長方形状の底板１の後端縁に折り目ａを介して、この底板１より小さい長方形状の後側板２を設け、この後側板２の上端縁に折り目ｂを介して、前記底板１と同形同大の天板３を設け、この天板３の前端縁に折り目ｃを介して係止片４を設けている。
【００２０】
前記底板１の左端縁に折り目ｄを介して小さい長方形状の左側板５を設け、この左側板５の左端縁に折り目ｅを介して折り込み片６を設け、同様に、前記底板１の右端縁に折り目ｆを介して前記左側板５と同形同大の右側板７を設け、この右側板７の右端縁に折り目ｇを介して折り込み片８を設けている。
【００２１】
前記底板１の前端縁に折り目ｈを介して前記後側板２と同形同大の前側板９を設け、この前側板９の前端縁に折り目ｉを介してこの前側板９と略同形同大の折り込み前側板１０を設けている。この折り込み前側板１０の前端縁の二箇所に小突起１０ａを設け、前記折り目ｈに、この折り込み前側板１０を折り目ｉによって折り込んだ際、前記小突起１０ａと対応する位置に切り込み１ａを設けている。
【００２２】
前記天板３の左端縁、前記後側板２の左端縁及び左側板５の後端縁に亘って夫々折り目ｊ、ｋ、ｍを介して、長方形状の大片１１ａと長方形状の小片１１ｂを繋げて成る折り込み板１１を設けている。この大片１１ａを前記天板３の左側から前記後側板２の左側の途中まで設けており、前記後側板２の左側の残った箇所から前記左側板５の後端縁に至る小片１１ｂを設けている。この小片１１ｂの左右の幅は前記左側板５の左右の幅と同じである。
【００２３】
前記大片１１ａの右端から左端にかけて、前記後側板２と前記天板３との間の折り目ｂの延長線を折り目ｎとして設け、この折り目ｎに、一定長の細長い長孔１１ｃを設け、この大片１１ａには、透孔１１ｄを設けている。前記小片１１ｂには、前記底板１の角部から前記大片１１ａと前記小片１１ｂの境界線に至る折り目ｏを斜めに設け、この小片１１ｂの折り目ｏの先端から、前記境界線上を外側へ向けて切り込み１２を設けている。また、前記左側板５の前端縁には折り目ｐを介して略方形状の折り込み片１３を設けている。
【００２４】
前記天板３の右端縁、前記後側板２の右端縁及び長方形状の右側板７の後端縁に亘って、夫々折り目ｑ、ｒ、ｓを介して、前記折り込み板１１と同様の、長方形状の大片１４ａと小片１４ｂを繋げて成る折り込み板１４を設け、この大片１４ａは前記天板３の右側から前記後側板２の右側の途中まで設けており、前記後側板２の右側の残った箇所から前記右側板の後端縁に至る小片１４ｂを設けている。
【００２５】
前記大片１４ａの左端から右端にかけて、前記後側板２と前記天板３との間の折り目ｂの延長線を折り目ｔとして設け、この折り目ｔに、一定長の細長い長孔１４ｃを設け、この大片１４ａには、透孔１４ｄを設けている。前記小片１４ｂには、前記底板１の角部から前記大片１４ａと前記小片１４ｂの境界線に至る折り目ｕを斜めに設け、この小片１４ｂの折り目ｕの先端から、前記境界線上を外側へ向けて切り込み１５を設けている。また、前記右側板７の前端縁には折り目ｖを介して略方形状の折り込み片１６を設けている。
【００２６】
次に、この紙箱Ａを組立てる。まず、折り込み板１１及び左側板５を、折り目ｊ、ｋ及びｄによって天板３、後側板２及び底板１側に折り込み、また、折り込み板１４及び右側板７を、折り目ｑ、ｒ及びｆによって天板３、後側板２及び底板１側に折り込む。そして、左側板５及び右側板７を底板１の左右に立設する。さらに、左側板５の前端の折り込み片１３及び右側板７の前端の折り込み片１６を夫々折り目ｐ及びｖにより、底板１側に直角に折り込む。また、左側板５及び右側板７の上端縁の折り込み片６及び８を折り目ｅ、ｇによって底板１側に水平に折り込む。
【００２７】
その後、折り目ｈによって、前側板９を底板１の前端に立設する。そして、折り込み前側板１０を折り目ｉによって、前側板９の内側に折り込むが、その際、前記左右の折り込み片１３及び１６を包み込む。そして、折り込み前側板１０の各小突起１０ａを折り目ｈに設けた各切り込み１ａに差し入れて係止し、折り込み前側板１０を、前側板９の内側に重ねて当該折り込み前側板１０及び前側板９を立設する。
【００２８】
また、前記天板３側に折り込んだ左右の折り込み板１１、１４の各小片１１ｂ及び１４ｂの斜めの折り目ｏ及びｕによって各小片１１ｂ及び１４ｂを谷折りしつつ、後側板２を折り目ａによって折り上げて、底板１の後端に立設する。
【００２９】
その後、左右の折り込み板１１、１４の大片１１ａ、１４ａを折り込んだまま、天板３を折り目ｂによって折り込む。その際、大片１１ａ及び１４ａも折り目ｎ及びｔによって同時に折り込まれる。
【００３０】
そして、天板３の前端縁の係止片４を折り目ｃによって折り込み、天板３の両側縁を前記左側板５の折り込み片６及び右側板７の折り込み片８の上に載せて、係止片４を、前側板９の内側に挿入する。これにより、紙箱Ａは組み立てられる。
【００３１】
この様にして、図３に示すように、前記天板３と前記左右の折り込み板１１、１４の大片１１ａ、１４ａとによって保冷体収納部１７を設ける。
【００３２】
この実施例では、左右の折り込み板１１、１４の大片１１ａ、１４ａが、夫々天板３の左右側から後側板２の左右側の途中まで設けられているため、天板３上に折り込まれた折り込み板１１、１４の大片１１ａ、１４ａを折り目ｎ、ｔによって折り込んで保冷体収納部１７を形成し、後述する天板３を折り目ｂによって折り込んで係止片４を前側板９に係止した際、前記大片１１ａ、１４ａは、折り目ｎ、ｔによって閉じられ、保冷体収納部１７を形成できる。さらに、各大片１１ａ、１４ａの後側板２の左右側に延出した部分１１ｅ、１４ｅ（図２において斜線で示す）が、重ねられた各小片１１ｂ、１４ｂによって押さえられ、無闇に各大片１１ａ、１４ａが開くのを防ぎ、保冷体収納部１７をより確実に形成できる。
【００３３】
また、天板３が閉じられた状態から紙箱Ａの天板３を開けた際、保冷体収納部１７の左右の大片１１ａ、１４ａは、後側板２の左右に延出した部分１１ｅ、１４ｅが折り目ｎ、ｔにより、後側板２上で折られているため、保冷体Ｂが、保冷体収納部１７から落ちることが無い。
【００３４】
また、さらに、より確実かつ強力に、保冷体収納部１７を形成するために、これらの大片１１ａ、１４ａの後側板２の左右側に延出した部分１１ｅ、１４ｅを後側板２に貼着してもよい。また、図１、３に示すように、前記大片１１ａ、14ａと前記小片１１ｂ、１４ｂの境界線上に切り込み１２、１５を設けているので、各小片１１ｂ、１４ｂを折り目ｏ、ｕによって、無理なく、円滑に折り込むことが可能となっている。
【００３５】
また、折り込み板１１、１４を折り目ｊ、ｋ、ｑ、ｒによって折り込んで保冷体収納部１７を形成したが、この時、相対向する折り込み板１１、１４の間には、適当な間が開いており、保冷体Ｂを保冷体収納部１７に入れる際には容易であり、また、冷気を紙箱Ａの内部に効果的に降下させることが出来、かつ当該保冷体収納部１７から保冷体Ｂは脱落し難いものとなっている。
【００３６】
さらに、左右の大片１１ａ、１４ａの折り目ｎ、ｔに細長い長孔１１ｃ、１４ｃを設けているので、各大片１１ａ、１４ａを折り目ｎ、ｔによって折り込んだ際、当該折り込むことにより発生するしわ寄せを逃がすことが出来、折り込まれた大片１１ａ、１４ａが歪んだり、一部が突出したりすることが無く、極めてスムーズに折り込むことが出来る。
【００３７】
そして、この保冷体収納部１７は、当該保冷体収納部１７を形成する左右の大片１１ａ、１４ａの係止片４側の端縁及び対向する端縁が開放されているので、そこを開いて保冷体Ｂを入れる。従って、保冷体Ｂを挟持するのも、手早く、簡単に出来、保冷体Ｂは、左右の大片１１ａ、１４ａの弾性によって、この保冷体収納部１７内に確実に保持される。
【００３８】
前記実施例では、折り込み板１１は、天板３の左端縁、前記後側板２の左端縁及び左側板５の後端縁に亘って夫々折り目ｊ、ｋ、ｍを介して、長方形状の大片１１ａと長方形状の小片１１ｂを繋げて形成しているが、折り込み板１１は、必ずしも、後側板２の左端縁及び左側板５の後端縁に夫々折り目ｋ、ｍを介して接続されている必要は無く、切り離されているものでも良い（折り込み板１４についても同様）。
【００３９】
この場合、前記大片１１ａ、１４ａを折り目ｎ、ｔによって折り込んで保冷体収納部１７を形成するが、折り込まれた大片１１ａ、１４ａの後側板２の左右側に延出した部分１１ｅ、１４ｅ及び重ねられた各小片１１ｂ、１４ｂによって、大片１１ａ、１４ａを押さえるので、無闇に各大片１１ａ、１４ａが開くのを防ぐことができる。
【００４０】
また、折り目ｎ、ｔに細長い長孔１１ｃ、１４ｃを設け、大片１１ａ、１４ａに透孔１１ｄ、１４ｄを設けているが、これらは必ずしも、必要ではなく、無くても良い。また、この紙箱Ａの天板３を閉じた後、係止片４を折り込み前側板１０の内側に差し入れて係止しているが、この紙箱Ａの天板３の閉じ方としては、これに限らず、裏面に保冷体収納部１７を設けた天板３を確実に係止出来るものなら他の構成でもよく、例えば、天板３の上端縁の中央に係止片を設け、天板３を折り目ｂによって倒した際、前側板１０の外側面において、前記係止片が対向する位置に、前記係止片の大きさに相応した切り込みを設け、この切り込みにこの係止片を差し入れて係止するようにしてもよい（図示省略）。
【図面の簡単な説明】
【００４１】
【図１】この考案の実施例の保冷体収納部付紙箱の天板を開け、保冷体収納部に保冷体を保持した状態の斜視図である。
【図２】この考案の実施例の保冷体収納部付紙箱の展開図である。
【図３】この考案の実施例の保冷体収納部付紙箱の天板を開けた状態の斜視図である。
【符号の説明】
【００４２】
Ａ    紙箱          Ｂ    保冷体
１    底板          ２    後側板          ３    天板
４    係止片        ５    左側板          ６    折り込み片
７    右側板        ８    折り込み片      ９    前側板
１０    折り込み前側板                    １１    折り込み板
１１ａ  大片        １１ｂ  小片          １１ｃ  長孔
１１ｄ  透孔        １１ｅ  大片の後側板側に延出した部分
１２    切り込み    １３    折り込み片    １４    折り込み板
１４ａ  大片        １４ｂ  小片          １４ｃ  長孔
１４ｄ  透孔        １４ｅ  大片の後側板側に延出した部分
１５    透孔        １６    折り込み片    １７    保冷体収納部
【図１】
0003142120.tif 000003
【図２】
0003142120.tif 000004
【図３】
0003142120.tif 000005